(57)【要約】      （修正有）【課題】原水に洗浄用薬剤等の種々の薬剤を混合し、これをシャワー水としてシャワーを行うことができる薬剤混合機能付シャワーヘッドを提供する。【解決手段】多数の散水孔２を有する散水板３を備えたノズルキャップ４と、先端側に椀状のノズルキャップ装着部５を設けると共に、後端側に給水ホースの接続部６を設けたヘッド本体７とからなる。ヘッド本体７内の原水流路８におけるノズルキャップ装着部５に連通する開口部８Ａを絞って小径となす一方、少なくともノズルキャップ装着部５を透明となすと共に、該ノズルキャップ装着部５の底部内面に、原水流路８の開口部８Ａから流出する水流に対して直交する方向の一対の薬剤挟持板９を突設し且つ該一対の薬剤挟持板９間の基部に、薬剤を安定して保持する台座１０を形成する。一対の薬剤挟持板９間に、平面が該一対の薬剤挟持板９と平行になるようにして円板状の水溶性固形薬剤１１を嵌挿し、ノズルキャップ４とノズルキャップ装着部５とを接続する。【選択図】図２
0003220416.tif 000002
【実用新案登録請求の範囲】
【請求項１】
多数の散水孔を有する散水板を備えたノズルキャップと、先端側に椀状のノズルキャップ装着部を設けると共に、後端側に給水ホースの接続部を設けたヘッド本体とからなり、前記ヘッド本体内の原水流路における前記ノズルキャップ装着部に連通する開口部を絞って小径となす一方、少なくとも前記ノズルキャップ装着部を透明となすと共に、該ノズルキャップ装着部の底部内面に、前記原水流路の開口部から流出する水流に対して直交する方向の一対の薬剤挟持板を突設し且つ該一対の薬剤挟持板間の基部に、薬剤を安定して保持する台座を形成し、該一対の薬剤挟持板間に、平面が該一対の薬剤挟持板と平行になるようにして円板状の水溶性固形薬剤を嵌挿するようにしてなり、更に、前記ノズルキャップと前記ノズルキャップ装着部とを係合構造により接続するようになしたことを特徴とする薬剤混合機能付シャワーヘッド。
【請求項２】
ノズルキャップとノズルキャップ装着部とを接続する係合構造が、ノズルキャップ装着部の開口部における係合段部の外周面に設けた係合突起と、ノズルキャップの内面に設けた、前記ノズルキャップ装着部の係合突起が係合するＬ字状の係合溝とをもって構成してなる係合構造である請求項１記載の薬剤混合機能付シャワーヘッド。
【請求項３】
ノズルキャップとノズルキャップ装着部とを接続する係合構造が、ノズルキャップ装着部の開口部における係合段部の外周面に設けたＬ字状の係合溝と、ノズルキャップの内面に設けた、前記ノズルキャップ装着部のＬ字状の係合溝に係合する係合突起とをもって構成してなる係合構造である請求項１記載の薬剤混合機能付シャワーヘッド。
【請求項４】
散水板が、それに設ける散水孔を、内側から外側にかけて径が縮小するテーパーとしてなる散水板である請求項１、２又は３記載の薬剤混合機能付きシャワーヘッド。
【請求項５】
散水板が、内側から外側に浅い皿状に湾曲した散水板である請求項１、２、３又は４記載の薬剤混合機能付きシャワーヘッド。
【考案の詳細な説明】
【技術分野】
【０００１】  本考案は薬剤混合機能付シャワーヘッドに関するものである。
【背景技術】
【０００２】  原水に洗浄用薬剤、香料薬剤、スキンケア用薬剤等の種々の薬剤を混合し、これをシャワー水としてシャワーを行うことができるようにした薬剤混合機能付シャワーヘッドが実用に供されている。【０００３】  図９乃至図１２は従来の薬剤混合機能付シャワーヘッドの１つを示すものである。該図における薬剤混合機能付シャワーヘッド１００は、多数の散水孔１０１を有する散水板１０２を備えたノズルキャップ１０３と、先端側に前記ノズルキャップ１０３の装着部１０４を設けると共に、後端側に給水ホースの接続部１０５を設けたヘッド本体１０６とからなり、前記ヘッド本体１０６内に薬剤収容部を設け、該薬剤収容部に円板状の水溶性固形薬剤を装填する薬剤混合機能付シャワーヘッドにおいて、前記ヘッド本体１０６を軸方向の中央部において分割し、該分割した部分に、ヘッド本体１０６のノズルキャップの装着部１０４側の分割端面１０６Ａに一端側を接合した樹脂製透明円筒体１０８と、ヘッド本体１０６の給水ホースの接続部１０５側の分割端面１０６Ｂに備えたフランジ状接続部１０９と、前記樹脂製透明円筒体１０８内に、円板状整流板１１０が前記フランジ状接続部１０９側に位置するようにして収容する、中央部に直径方向に沿って所要幅にわたる通水小孔群１１１を設けると共に、該通水小孔群１１１の両側に該通水小孔群１１１の各通水小孔より大きい通水孔１１２、１１２を設けた円板状整流板１１０の一方の面における前記通水小孔群１１１の両側の位置に、一対の薬剤挟持板１１３、１１３を直角に突設してなる薬剤ホルダー１１４とからなり、前記樹脂製透明円筒体１０８と前記フランジ状接続部１０９とを係合構造により接続するようになした薬剤装填部１０７を設け、該薬剤装填部１０７における前記薬剤ホルダー１１４の一対の薬剤挟持板１１３、１１３間に、平面が該一対の薬剤挟持板１１３、１１３と平行になるようにして円板状の水溶性固形薬剤Ｄを嵌挿してなるものである。【０００４】  また、上記樹脂製透明円筒体１０８とフランジ状接続部１０９とを接続する係合構造としては、樹脂製透明円筒体１０８におけるヘッド本体１０６のノズルキャップの装着部１０４側への接合部１０８Ａと反対側の端部１０８Ｂの外周面に設けた係合突起１１５と、フランジ状接続部１０９の内面に設けた、前記樹脂製透明円筒体１０８の係合突起１１５が係合するＬ字状の係合溝１１６とをもって構成してなるものである。【０００５】  斯かる従来の薬剤混合機能付シャワーヘッド１００によれば、ヘッド本体１０６を軸方向の中央部において分割し、該分割した部分に薬剤装填部１０７を設け、そして該薬剤装填部１０７における薬剤ホルダー１１４を、樹脂製透明円筒体１０８内に収容するものであるから、目で見て薬剤の減り具合を確認することができるものである。したがって、新たな薬剤を装填するタイミングを確実に知ることができるものである。また、樹脂製透明円筒体１０８とフランジ状接続部１０９との接続は、係合構造で行うものであるから、僅かなひねり動作によって容易に接続及び分離が可能となるものである。したがって、薬剤の装填作業を簡単、迅速に行うことができるものである。また、円板状の水溶性固形薬剤Ｄは、その平面部���Ｄ´が原水の水流に対して直角になるようセットした場合には、水流に当る面積が大きく且つ強く当たることになり、薬剤の溶解速度が速く、短時間で新しい薬剤を装填し直さなくてはならないが、従来の斯かる薬剤混合機能付シャワーヘッド１００によれば、薬剤ホルダー１１４の薬剤挟持板１１３、１１３間に嵌挿した円板状の水溶性固形薬剤Ｄは、円板状整流板１１０の通水小孔群１１１によって水流を弱められた状態で接触し、且つまた周面しか水流に当たらないようにするものであるから、薬剤の溶解速度を大幅に遅らせることができるものである。
【考案の概要】
【考案が解決しようとする課題】
【０００６】  上記従来の薬剤混合機能付シャワーヘッド１００は、上記の通りの利点を有するものであるが、構造が複雑で構成部品の点数も多く、製造コストが高くつくという問題点があった。即ち、ヘッド本体１０６を中央部で分割し、分割した一方側の端面１０６Ｂには、フランジ状接続部１０９を螺着するための雄ネジを設けると共に、フランジ状接続部１０９の内面には上記雄ネジに螺合する雌ねじを設けなければならず、また、薬剤装填部１０７は、樹脂製透明円筒体１０８と、フランジ状接続部１０９と、薬剤ホルダー１１４という３つの構成部品からなり、これらを夫々別々に加工製作しなければならないと共に、特に薬剤ホルダー１１４は、円板状整流板１１０に多数の通水小孔群１１と通水孔１１２、１１２を設ける手間と、加えて一対の薬剤挟持板１１３，１１３を突設する手間がかかるものである。更に、出来上がった上記各構成部品を一体的に組み付ける作業も必要である。【０００７】  本考案は上記の点に鑑みなされたものであって、構成を簡略化して構成部品の数を減らし、もって製造コストを大幅に軽減することができ、而も同程度の効果を奏する薬剤混合機能付シャワーヘッドを提供しようとするものである。
【課題を解決するための手段】
【０００８】  而して、本考案の要旨をするところは、多数の散水孔を有する散水板を備えたノズルキャップと、先端側に椀状のノズルキャップ装着部を設けると共に、後端側に給水ホースの接続部を設けたヘッド本体とからなり、前記ヘッド本体内の原水流路における前記ノズルキャップ装着部に連通する開口部を絞って小径となす一方、少なくとも前記ノズルキャップ装着部を透明となすと共に、該ノズルキャップ装着部の底部内面に、前記原水流路の開口部から流出する水流に対して直交する方向の一対の薬剤挟持板を突設し且つ該一対の薬剤挟持板間の基部に、薬剤を安定して保持する台座を形成し、該一対の薬剤挟持板間に、平面が該一対の薬剤挟持板と平行になるようにして円板状の水溶性固形薬剤を嵌挿するようにしてなり、更に、前記ノズルキャップと前記ノズルキャップ装着部とを係合構造により接続するようになしたことを特徴とする薬剤混合機能付シャワーヘッドにある。【０００９】  また、上記構成において、ノズルキャップとノズルキャップ装着部とを接続する係合構造を、ノズルキャップ装着部の開口部における係合段部の外周面に設けた係合突起と、ノズルキャップの内面に設けた、前記ノズルキャップ装着部の係合突起が係合するＬ字状の係合溝とをもって構成してなる係合構造としてもよい。【００１０】  また、上記構成において、ノズルキャップとノズルキャップ装着部とを接続する係合構造を、ノズルキャップ装着部の開口部における係合段部の外周面に設けたＬ字状の係合溝と、ノズルキャップの内面に設けた、前記ノズルキャップ装着部のＬ字状の係合溝に係合する係合突起とをもって構成してなる係合構造としてもよい。【００１１】  また、上記構成において、散水板を、それに設ける散水孔を、内側から外側にかけて径が縮小するテーパーとしてなる散水板としてもよい。【００１２】  また、上記構成において、散水板を、内側から外側に浅い皿状に湾曲した散水板としてもよい。
【考案の効果】
【００１３】  本考案は上記の通りの構成であり、多数の散水孔を有する散水板を備えたノズルキャップと、先端側に椀状のノズルキャップ装着部を設けると共に、後端側に給水ホースの接続部を設けたヘッド本体とのみからなるものであり、そして、薬剤を保持する一対の薬剤挟持板を、ノズルキャップ装着部の内部に一体的に形成したものであるから、構成が簡単で部品点数も少なく且つ組み立てに手間もかからないものである。もって従来の薬剤混合機能付シャワーヘッドに比してはるかに製造コストを軽減することができるものである。また、薬剤を保持する部分であるノズルキャップ装着部は透明であるから、目で見て薬剤の減り具合を確認することができるものである。したがって、新たな薬剤を装填するタイミングを確実に知ることができるものである。また、ヘッド本体内の原水流路のノズルキャップ装着部に連通する開口部は絞って小径とし、水流を一対の薬剤挟持板の長さ方向の中央部に集中して流出するようになすと共に、薬剤を保持する一対の薬剤挟持板は、ヘッド本体内の原水流路の開口部から流出する水流に対して直交する方向になしているから、薬剤の広い平面部分の全体が直接水流に直角に当たることなく、一対の薬剤挟持板の側方から流入する水流にその周面部分しか当たらないことにより、薬剤の溶解速度を遅らせることができるものである。もって、新しい薬剤の装填時期を延ばすことができるものである。また、ノズルキャップとノズルキャップ装着部との接続は係合構造により行うものであるから、僅かなひねり動作によって容易に接続及び分離が可能となり、もって薬剤の装填作業を簡単、迅速に行うことができるものである。【００１４】  また、散水板が、それに設ける散水孔を、内側から外側にかけて径が縮小するテーパーとした散水板である場合には、放出時の水流の流速を高めることができ、シャワーの効果を向上させることができるものである。【００１５】  また、散水板が、内側から外側に浅い皿状に湾曲した散水板である場合には、散水する範囲を周囲に拡げることができるものである。即ち、散水板はその厚さが極めて薄いから、板の厚さ方向に対して、これと平行にならないように（板面と直角にならないように）散水孔の角度を違えても、放出する角度を殆ど規制することができず、散水板の面と略直角にしか放出しないものである。これに対して、散水板を内側から外側に浅い皿状に湾曲させた場合には、湾曲した曲面の角度によって放出する水の範囲を周囲に拡げることができるものであり、もってシャワーの効果を向上させることができるものである。
【図面の簡単な説明】
【００１６】
【図１】本考案の実施形態に係る薬剤混合機能付シャワーヘッドの斜視図である。
【図２】同中央縦断面側面図である。
【図３】同ノズルキャップを外した状態のヘッド本体におけるノズルキャップ装着部の正面側から看た斜視図である。
【図４】同ノズルキャップの背面側から看た斜視図である。
【図５】同作用説明図である。
【図６】同散水板の部分拡大断面図である。
【図７】同散水板の他の例の背面側から看た斜視図である。
【図８】同散水板の他の例の部分拡大断面図である。
【図９】従来の薬剤混合機能付シャワーヘッドの斜視図である
【図１０】同分解斜視図である。
【図１１】同薬剤ホルダーの斜視図である。
【図１２】同組み付けた状態の要部の断面図である。
【考案を実施するための形態】
【００１７】    以下、本考案を実施するための形態について、図面を参照して説明する。
【００１８】    図中、１は薬剤混合機能付シャワーヘッドである。また、該薬剤混合機能付シャワーヘッド１は、多数の散水孔２を有する散水板３を備えたノズルキャップ４と、先端側に椀状のノズルキャップ装着部５を設けると共に、後端側に給水ホースの接続部６を設けたヘッド本体７とからなるものである。
【００１９】  また、該薬剤混合機能付シャワーヘッド１は、前記ヘッド本体７内の原水流路８における前記ノズルキャップ装着部５に連通する開口部８Ａを絞って小径となす一方、少なくとも前記ノズルキャップ装着部５を透明となすと共に、該ノズルキャップ装着部５の底部内面に、前記原水流路８の開口部８Ａから流出する水流に対して直交する方向の一対の薬剤挟持板９、９を突設し且つ該一対の薬剤挟持板９、９間の基部に、薬剤を安定して保持する台座１０を形成し、該一対の薬剤挟持板９、９間に、平面が該一対の薬剤挟持板９、９と平行になるようにして円板状の水溶性固形薬剤１１を嵌挿するようにしてなり、更に、前記ノズルキャップ４と前記ノズルキャップ装着部５とを係合構造により接続するようになしたものである。
【００２０】  また、本実施形態においては、ヘッド本体７におけるノズルキャップ装着部５のみを透明としているが、ヘッド本体７の全体を透明としてもよく、また、一対の薬剤挟持板９、９間の基部に形成する、薬剤を安定して保持する台座１０は、円板状の水溶性固形薬剤１１が一対の薬剤挟持板９、９の側方に転がり出ないようにするためのものであるから、図示した枠状の形態に限らず、他の形態を採用することも可能である。
【００２１】  また、前記ノズルキャップ４と前記ノズルキャップ装着部５とを接続する前記係合構造として、本実施形態においては、ノズルキャップ装着部５の開口部における係合段部５Ａの外周面に設けた係合突起１２と、ノズルキャップ４の内面に設けた、前記ノズルキャップ装着部５の係合突起１２が係合するＬ字状の係合溝１３とをもって構成している。
【００２２】  また、図示はしないが、前記ノズルキャップ４と前記ノズルキャップ装着部５とを接続する係合構造として、ノズルキャップ装着部５の開口部における係合段部５Ａの外周面に設けたＬ字状の係合溝と、ノズルキャップ４の内面に設けた、前記ノズルキャップ装着部５のＬ字状の係合溝に係合する係合突起とをもって構成してなる係合構造としてもよい。
【００２３】  また、前記散水板３として、本実施形態においては、それに設ける散水孔２を、内側から外側にかけて径が縮小するテーパーとしてなる散水板を用いている。
【００２４】  また、前記散水板３は、本実施形態においてはフラットな散水板を用いているが、図７及び図８に示す如き、内側から外側に浅い皿状に湾曲した散水板を用いるようにしてもよいものである。
【００２５】  次に、本実施形態の作用について説明する。
給水ホースの接続部６から送り込まれた原水はヘッド本体７内に流入し、ノズルキャップ装着部５の内部において円板状の水溶性固形薬剤１１と接触して薬剤を混合される。そしてこの薬剤が混合された水はシャワー水としてノズルキャップ４の散水板３から噴射されるものである。
【００２６】  本実施形態は上記の通りの構成であり、多数の散水孔２を有する散水板３を備えたノズルキャップ４と、先端側に椀状のノズルキャップ装着部５を設けると共に、後端側に給水ホースの接続部６を設けたヘッド本体７とのみからなるものであり、そして、薬剤１１を保持する一対の薬剤挟持板９、９を、ノズルキャップ装着部５の内部に一体的に形成したものであるから、構成が簡単で部品点数も少なく且つ組み立てに手間もかからないものである。もって従来の薬剤混合機能付シャワーヘッドに比してはるかに製造コストを軽減することができるものである。また、薬剤１１を保持する部分であるノズルキャップ装着部５は透明であるから、目で見て薬剤１１の減り具合を確認することができるものである。したがって、新たな薬剤を装填するタイミングを確実に知ることができるものである。また、ヘッド本体７内の原水流路８のノズルキャップ装着部５に連通する開口部８Ａは絞って小径とし、水流を一対の薬剤挟持板９、９の長さ方向の中央部に集中して流出するようになすと共に、薬剤１１を保持する一対の薬剤挟持板９、９は、ヘッド本体７内の原水流路８の開口部８Ａから流出する水流に対して直交する方向になしているから、薬剤１１の広い平面部分の全体が直接水流に直角に当たることなく、図５に示す如く、一対の薬剤挟持板９、９の側方から流入する水流にその周面部分しか当たらないことにより、薬剤１１の溶解速度を遅らせることができるものである。もって、新しい薬剤の装填時期を延ばすことができるものである。また、ノズルキャップ４とノズルキャップ装着部５との接続は係合構造により行うものであるから、僅かなひねり動作によって容易に接続及び分離が可能となり、もって薬剤の装填作業を簡単、迅速に行うことができるものである。
【００２７】  また、散水板３が、それに設ける散水孔２を、内側から外側にかけて径が縮小するテーパーとした散水板である場合には、放出時の水流の流速を高めることができ、シャワーの効果を向上させることができるものである。
【００２８】  また、散水板３が、内側から外側に浅い皿状に湾曲した散水板である場合には、散水する範囲を周囲に拡げることができるものである。即ち、散水板３はその厚さが極めて薄いから、板の厚さ方向に対して、これと平行にならないように（板面と直角にならないように）散水孔の角度を違えても、放出する角度を殆ど規制することができず、散水板の面と略直角にしか放出しないものである。これに対して、散水板３を内側から外側に浅い皿状に湾曲させた場合には、湾曲した曲面の角度によって放出する水の範囲を周囲に拡げることができるものであり、もってシャワーの効果を向上させることができるものである。
【符号の説明】
【００２９】  １  薬剤混合機能付シャワーヘッド
２  散水孔
３  散水板
４  ノズルキャップ
５  ヘッド本体のノズルキャップ装着部
６  ヘッド本体の給水ホースの接続部
７  ヘッド本体
８  原水流路
８Ａ  原水流路の開口部
９、９  一対の薬剤挟持板
１０  薬剤保持用台座
１１  円板状の水溶性固形薬剤
１２  係合突起
１３  Ｌ字状の係合溝
【図１】
0003220416.tif 000003
【図２】
0003220416.tif 000004
【図３】
0003220416.tif 000005
【図４】
0003220416.tif 000006
【図５】
0003220416.tif 000007
【図６】
0003220416.tif 000008
【図７】
0003220416.tif 000009
【図８】
0003220416.tif 000010
【図９】
0003220416.tif 000011
【図１０】
0003220416.tif 000012
【図１１】
0003220416.tif 000013
【図１２】
0003220416.tif 000014